(57)【要約】【課題】本発明の実施形態は、かご天井面の美観を保全するための清掃作業を簡易な構成で行うことができるエレベータかご照明装置を提供することを目的とする。【解決手段】本発明の実施形態に係るエレベータかご照明装置は、エレベータの乗りかご１上に設置され内部に照明機器７を備えるかご照明ケース５と、乗りかご１上面と照明機器７とに接触せず、かつ乗りかご１上面と照明機器７との間に水平面が形成されるように設けられるかご照明シート９と、かご照明シート９を支持し、かご照明ケース５上部からの送り出しをガイドする第１のガイドローラ１０ａと、かご照明ケース５上部への引き出しをガイドする第２のガイドローラ１０ｂとを備えることを特徴とする。【選択図】図１
2012206834.tif 000002
【特許請求の範囲】
【請求項１】
エレベータの乗りかご上に設置され内部に照明機器を備えるかご照明ケースと、
前記乗りかご上面と前記照明機器とに接触せず、かつ、前記乗りかご上面と前記照明機器との間に水平面が形成されるように設けられるかご照明シートと、
前記かご照明ケース内で前記かご照明シートを支持し、前記かご照明ケース上部からの送り出しをガイドする第１のガイドローラと、
前記かご照明ケース内で前記かご照明シートを支持し、前記かご照明ケース上部への引き出しをガイドする第２のガイドローラと、
を備えることを特徴とするエレベータかご照明装置。
【請求項２】
前記ガイドローラを電源駆動により回転させ、前記かご照明シートの送り出し及び引き出しをガイドするように制御するかご照明シート制御装置をさらに備えることを特徴とする請求項１に記載のエレベータかご照明装置。
【請求項３】
前記かご照明ケースの上部に設けられ、前記第２のガイドローラから前記かご照明ケース上部へ引き出された前記かご照明シートを巻き取る巻き取り機構と、
前記かご照明ケースの上部に設けられ、前記第１のガイドローラへ前記かご照明ケース上部から送り出される前記かご照明シートを巻き出す巻き出し機構と、
をさらに備えることを特徴とする請求項１に記載のエレベータかご照明装置。
【請求項４】
前記かご照明シート制御部は、前記エレベータの運行データまたは前回の前記ガイドローラを駆動したときからの日時経過や現在の季節を記憶しているカレンダーデータの少なくともいずれかから得られるデータを参照し、予め設定される条件に合致した場合に前記ガイドローラを駆動させることを特徴とする請求項２に記載のエレベータかご照明装置。
【請求項５】
前記ガイドローラの駆動量から前記かご照明シートの残量を算出する演算部を備えることを特徴とする請求項２に記載のエレベータかご照明装置。
【発明の詳細な説明】
【技術分野】
【０００１】
本発明の実施形態は、かご天井面への異物の投影による美観の損ないを防ぐエレベータのかご照明装置に関する。
【背景技術】
【０００２】
通常、エレベータの乗りかご上部には、かご照明ケースが設置されており、乗りかご室内とかご照明ケースとはかご天井面で仕切られている。かご照明ケース内にはかご照明機器等が設置されており、かご照明機器等を交換する際にはかご照明ケースの上部に設けられている上蓋を取り外す構成となっている。
【０００３】
しかし、このようにかご照明ケースの上蓋を取り外してかご照明機器等を交換する際に、ほこりや虫等の異物がかご照明ケース内に混入する場合がある。また、かご照明ケースの上蓋等に隙間がある場合にはその隙間から異物が入り込むこともある。
【０００４】
このような場合、かご室内から見たかご天井面には異物が投影され、天井照明の美観を損なうことがある。そして、これらの異物を除去するための清掃作業は上蓋を取り外したり、かご照明機器に気をつけながら汚れのふき取りを行うなど、その作業は困難な場合が多い。
【０００５】
従来は、この問題に対しかご天井面とかご照明機器との間に仕切り板を設け、仕切り板とかご天井面との間を密封することにより異物をかご天井面に直接触れないようにさせる構成としている、これによりかご天井面への異物の投影を防ぎ、かご照明装置の美観の損ないを軽減させることが可能となる。
【先行技術文献】
【特許文献】
【０００６】
【特許文献１】特開２００８−１５０１８７号公報
【発明の概要】
【発明が解決しようとする課題】
【０００７】
しかしながら、上記のような場合であってもかご照明ケース内の異物が除去されているわけではなく、異物の投影を完全に防ぐことができるものではない。また、投影原因を除去するためにはかご照明ケース上蓋を取り外し、保守員等が直接清掃を行うしかなく、清掃作業の煩雑さの解消には繋がらない。
【０００８】
そこで本発明の実施形態では、かご天井面の美観を保全するための清掃作業を簡易な構成で行うことができるエレベータかご照明装置を提供することを目的とする。
【課題を解決するための手段】
【０００９】
上記目的を達成するために、本発明の実施形態に係るエレベータのかご照明装置は、エレベータの乗りかごに設置され内部に照明機器を備えるかご照明ケースと、前記乗りかご上面と前記照明機器とに接触せず、かつ、前記乗りかご上面と前記照明機器との間に水平面が形成されるように設けられるかご照明シートと、前記かご照明ケース内で前記かご照明シートを支持し、前記かご照明ケース上部からの送り出しをガイドする第１のガイドローラと、前記かご照明ケース内で前記かご照明シートを支持し、前記かご照明ケース上部への引き出しをガイドする第２のガイドローラと、を備えることを特徴とする。
【図面の簡単な説明】
【００１０】
【図１】本発明の第１の実施形態に係るかご照明装置の構成を示す一部断面図である。
【図２】本発明の第１の実施形態に係るガイドローラの取り付けを示す概略図である。
【図３】本発明の第１の実施形態に係るかご照明装置の別の構成を示す断面図である。
【図４】本発明の第２の実施形態に係るかご照明装置の構成を示す一部断面図である。
【図５】本発明の第２の実施形態に係るエレベータ制御部及びかご照明シート制御部の構成を示す模式図である。
【図６】本発明の第２の実施形態に係るかご照明装置による異物投影原因の除去手順を示すフローチャートである。
【発明を実施するための形態】
【００１１】
以下、本発明の実施形態について図面を参照して説明する。
【００１２】
（第１の実施形態）
図１は本発明の第１の実施形態に係るかご照明装置の構成を示す断面図である。図２は本発明のガイドローラの取り付けを示した概略図である。図３は本発明の第１の実施形態に係るかご照明装置の別の構成を示す断面図である。
【００１３】
まず、図１、図２を用いて本発明の第１の実施形態に係るかご照明装置の構成について説明する。
【００１４】
エレベータのかご１には出入口の開閉を行うかごドア２や利用者がかご１の行先階を登録するかご内行先階登録部３、エレベータの運行状態や進行方向を表示するかご内インジケータ４等が備えられている。
【００１５】
かご１上部にはかご照明ケース５が設置されており、かご照明ケース５とかご１室内とはかご室天井面６により仕切られている。かご照明ケース５内上部にはかご１室内を照らすためのかご照明機器７が設置され、かご照明ケース５上部には上蓋８が開閉可能に設けられている。かご照明機器７の設置箇所については詳しくは記載しないが、例えば本実施形態では、上蓋８に直接取り付けられる構成とする。
【００１６】
かご照明機器７とかご室天井面６の間にはかご照明機器７からの光を透過するかご照明シート９が備えられている。このかご照明シート９は、かご照明ケース５内に設けられる一対の長軸形状のガイドローラ１０ａ、１０ｂによって巻付け支持されている。
【００１７】
このガイドローラ１０ａ、１０ｂの取り付けに関しては特に限定はしないが、本実施形態では、図１に示すようなガイドローラ支持部２１によってガイドローラ１０ａ、１０ｂが設けられるものとする。図１ではすべてを図示しないが、ガイドローラ支持部２１は計４本用いられ、かご照明ケース５の四隅周辺にそれぞれ配置される。そして、２本のガイドローラ支持部２１によって、ガイドローラ１０ａ、１０ｂの一方を支持し、残りの２本のガイドローラ支持部２１によって他方のガイドローラ１０ａ、１０ｂを支持している。
【００１８】
例えば、図２（ａ）（ｂ）に示すようにガイドローラ１０ａ、１０ｂの先端部には支持軸を備えるなどして、その支持軸をガイドローラ支持部２１の切り欠き部に支持させることができる。図２（ａ）（ｂ）に示すように切り欠き部が複数設けられていることにより、かご照明シート９の高さを調整することができるようになる。そのほか、図２（ｃ）に示すように、ガイドローラ支持部２１に凹部を設け、ガイドローラ１０ａ、１０ｂの先端部をボールプランジャとして、この凹部にはめ込むことにより支持させることもできる。ボールプランジャをはめ込む凹部についても複数箇所設けることにより、かご照明シート９の高さを調整することができる。これらに限られずそのほかの構成によりガイドローラ１０ａ、１０ｂを設置することも可能である。以上の構成により、かご照明ケース５内にガイドローラ１０ａ、１０ｂを設ける構成とすることができる。
【００１９】
そして、かご照明シート９の両端部はそれぞれガイドローラ１０ａ、１０ｂを介してかご照明ケース５上面に設けられている開口部である、スリット形状のシート引き入れ部１１及びシート引き出し部１２に導かれている。すなわち、シート引き入れ部１１及びシート引き出し部１２はかご照明シート９の両端部が導かれる任意の位置に設けられる。
【００２０】
本実施形態においては、かご照明機器７からの光を広範囲に透過させるために、シート引き入れ部１１及びシート引き出し部１２はそれぞれかご照明ケース５の端部付近すなわち昇降路壁側に設置される。なお、本実施形態におけるかご照明シート９は、かご照明ケース５とかご天井面６とかご照明シート９とからなる空間をできるだけ密閉状態とするように設けられる。本実施形態では、かご照明シート９とかご照明ケース５の側面との隙間が小さくなるようにかご照明シート９が設けられている。また、よりかご照明ケース５との密閉度を上げるために、かご照明シート９の幅方向端部にブラシ等の付属物をつけることも可能である。
【００２１】
以上のようにして、本実施形態のかご照明装置は構成されている。
【００２２】
次に本実施形態に係るかご照明装置を利用した場合の作用について説明する。
【００２３】
保守員等がかご照明機器７を交換する場合にはかご照明ケース５上部にある上蓋８を開閉することになるが、その際かご照明ケース５内に虫やゴミなどの異物が入り込んでしまい、かご天井の意匠を損なうことになってしまうことがある。そこで本実施形態によれば、照明によってかご室天井面６へ異物の陰が投影されることにより発生するかご室天井面６の意匠性の欠損を簡易な構成で解消することができる。以下、具体的に説明する。
【００２４】
まず、本実施形態では、かご照明機器７の交換時など上蓋８を開けた際にかご照明ケース５内に虫などの異物が入り込み、異物がかご照明シート９に付着していることによりかご室天井面６の意匠面が損なわれているものとして説明する。
【００２５】
かご照明ケース５内に異物が混入し異物がかご照明シート９上に付着した場合、保守員等はかご照明シート９を交換するなどして異物の除去を行う必要がある。本実施形態においては、シート引き入れ部１１側に導かれているかご照明シート９ａ（以下、旧かご照明シート９ａとする。）の端部に新しいかご照明シート９ｂ（以下、新かご照明シート９ｂとする。）を接合し、シート引き出し部１２側に導かれている旧かご照明シート９ａの端部を引き出すことにより異物が付着した旧かご照明シート９ａを新かご照明シート９ｂに交換することが可能になる。
【００２６】
詳細には、まず、シート引き入れ部１１から、異物が付着した旧かご照明シート９ａの端部に接合された新かご照明シート９ｂがかご照明ケース５内に引き入れられる。そして、かご照明ケース５内に引き入れられた新かご照明シート９ｂはガイドローラ１０ａに巻きかけられるようにして支持され、もう一方のガイドローラ１０ｂまでガイドされる。そしてガイドローラ１０ｂまでガイドされた新かご照明シート９ｂはガイドローラ１０ｂに巻きつけられるように支持され、シート引き出し部１２まで導かれる。すなわち、この場合、旧かご照明シート９ａは新かご照明シート９ｂとともにガイドローラ１０によりシート引き出し部１２まで導かれる。このようにすることで、かご照明ケース５内には新かご照明シート９ｂが装備されることになり、異物等が付着した旧かご照明シート９ａはかご照明ケース５外へ引き出されることになる。
【００２７】
そしてその後、シート引き出し部１２まで引き出された旧かご照明シート９ａと新かご照明シート９ｂとの接合部分を剥離することにより、かご照明シート９の交換を行うことが可能となる。
【００２８】
ここで、かご照明シート９ａおよび９ｂの接合について簡単に説明する。かご照明シート９の両端部にはファスナーのような噛み合い構造からなる接合部が設けられており、かご照明シート９ａの端部の接合部とかご照明シート９ｂの端部の接合部とを接合することにより、かご照明シート９ａ、９ｂを接続することが可能になる。ここでは接合部を噛み合い構造からなるものとしたが、それに限られるものではない。
【００２９】
このような構成により、保守員等はかご照明ケース５内の異物の汚れを上蓋８を開けることなく簡単に除去でき、さらにかご照明シート９に付着する異物を清掃する際に異物が混入する恐れもなくなる効果を得ることができる。
【００３０】
また、上記実施形態においては保守員等の手によってかご照明シート９を引き入れ、引き出しを行うものとして説明したが、それに限らずガイドローラ１０を電動駆動させるものとしてかご照明シート９の引き入れ、引き出しを行うものとしてもよい。
【００３１】
また、本実施形態においては、シート引き入れ部１１に導かれているかご照明シート９の端部に新しいかご照明シート９を接合するものとしたが、予めかご照明ケース５上部にかご照明シート９をロール状に設置しておき、かご照明ケース５上部に設けられるかご照明シート巻き出し機構及び、かご照明シート巻き取り機構をそれぞれ設置するものとしてもよい。
【００３２】
具体的には、図３を用いて説明する。図３に示すようにかご照明ケース５上部にシート巻き出し機構１３及びシート巻き取り機構１４が設置される。シート巻き出し機構１３には、かご照明シート９の未使用部分がロール状に設置されている。かご照明シート９の交換を行う際には、シート巻き出し機構１３に設置されているかご照明シート９の未使用部分をシート引き入れ部１１を介してかご照明ケース５内に巻き出し、その後、既述のようにガイドローラ１０を介してシート引き出し部１２まで導きガイドする。そしてシート引き出し部１２まで導かれたかご照明シート９は、シート巻き取り機構１４によって巻き取られ、これにより、かご照明ケース５内に設置されるかご照明シート９の水平部分を未使用部分に交換することが可能になる。
【００３３】
ここで、シート巻き出し機構１３及びシート巻き取り機構１４の構造としては、ハンドル等を取り付けて主導でかご照明シート９を巻き取る機構としても、電動駆動によりかご照明シート９を巻き取る機構としてもよい。
【００３４】
このような構成によれば、かご照明シート９に接合部を設けることなく、かつ保守員等は頻繁に交換用のかご照明シート９を持ち出さずにかご照明シート９の交換を簡易に行うことができる。また、この場合もガイドローラ１０を電源駆動とすることにより、かご照明シート９をガイドするものとしてもよい。
【００３５】
（第２の実施形態）
次に本発明の第２の実施形態について説明する。
【００３６】
図４は本発明の第２の実施形態に係るかご照明装置の構成を示す断面図である。図５は本発明の第２の実施形態に係るエレベータ制御装置及びかご照明シート制御部の構成を示す模式図である。図６は本発明の第２の実施形態に係るかご照明装置による異物投影原因の除去手順を示すフローチャートである。
【００３７】
本実施形態に係るエレベータのかご照明装置は、ガイドローラ１０の駆動や、かご照明シート９の送り出し量などを制御するかご照明シート制御部１５を設けるものとする。その他の構成については第１の実施形態の説明の際の図３に示す構成と同様であるため説明を省略する。以下、本実施形態について具体的に説明する。
【００３８】
図４に示すようにかご照明ケース５内にはかご照明シート９の制御を行うかご照明シート制御部１５が備えられる。本実施形態においてはかご照明ケース５内に備えるものとして説明するが、これに限定されるものではなく、例えばかご１上部などに設けるものとしてもよい。
【００３９】
また、図５に示すようにかご照明シート制御部１５は、エレベータ制御装置１６及びガイドローラ１０とに接続されている。なお、ガイドローラ１０の駆動量は図示しないパルスジェネレータにより測定されている。エレベータ制御装置１６は図示しない昇降路内もしくは機械室に設けられ、エレベータの運行全般を制御している。エレベータ制御装置１６には、エレベータの運行データを管理する運行データ管理部１７と、日時や季節などを管理しているカレンダーデータ部１８とが備えられている。
【００４０】
運行データ管理部１７には例えば、かごドア２の戸開閉動作を行った回数や、戸開している間の合計時間等が記憶されている。また、カレンダーデータ部１８には、現在の日時や季節のほか、前回のかご照明シート９の交換を行ってからの経過日数などが記憶されている。日時や季節を記憶しているのは、例えば夏などは冬に比べて、かご照明に集まる虫の量が多いことなどを考慮しているものである。
【００４１】
一方、かご照明シート制御部１５はエレベータ制御装置１６からの信号に基づきガイドローラ１０を駆動させるか否かの判定を行う判定部１９及びガイドローラ１０の駆動量からかご照明シート９の未使用部分の残量を演算し、記憶するかご照明シート残量データ部２０とが備えられている。
【００４２】
判定部１９には、ガイドローラ１０を駆動させると判定するための閾値、例えばかごドア２の戸開閉動作の回数の閾値や、戸開時間の合計時間の閾値、前回かご照明シート９を交換してからの日数間隔の値、かご照明シート９の限界使用量や残量の値などが予め設定されている。そして、かご照明シート制御部１５に接続されているエレベータ制御装置１６から得られる運行データもしくはカレンダーデータと、判定部１９に設定されている閾値とを比較することにより、ガイドローラ１０を駆動させるか否かの判定を行うように設定されている。
【００４３】
また、エレベータ制御装置１６はかご内インジケータ４や乗場インジケータなどの表示装置２２とも接続されており、エレベータの運行状態を表示するよう設定されている。
【００４４】
以上のようにして、第２の実施形態に係るエレベータのかご照明装置が構成されている。次に、本実施形態に係るエレベータのかご照明装置の作用について図６にフローチャートを用いて説明する。
【００４５】
かご照明シート制御部１５は、エレベータ制御装置１６から得られるカレンダーデータすなわち現在の日時と、判定部１９にて予め設定されている日時とを比較し、現在の日時が設定日時に達しているか否かを判定する（Ｓ１）。判定部１９にて予め設定されている日時に達していないと判定された場合（Ｓ１のＮＯ）、エレベータ制御装置１６から得られる運行データすなわちかごドア２の戸開閉動作の回数や戸開時間の合計時間と、判定部１９にて予め設定されている閾値とを比較し、現在の運行データが閾値に達しているか否かを判定する（Ｓ２）。判定部１９にて予め設定されている閾値に達していないと判定された場合（Ｓ２のＮＯ）、かご照明シート制御部１５の処理を終了する（Ｓ７）。
【００４６】
一方、カレンダーデータに基づく判定処理において（Ｓ１）、判定部１９にて予め設定されている日時に達していると判定された場合（Ｓ１のＹＥＳ）、または運行データに基づく判定処理において（Ｓ２）、判定部１９にて予め設定されている閾値に達していると判定された場合（Ｓ２のＹＥＳ）、かご照明シート制御部１５はガイドローラ１０を駆動させ、かご照明シート９の交換を行う（Ｓ３）。
【００４７】
その後、かご照明シート残量データ部２０は、図示しないパルスジェネレータから得られるかご照明シート９の交換の際のガイドローラ１０の駆動量に基づき、かご照明シート９の使用量及び残量を演算し記憶する（Ｓ４）。かご照明シート９の残量の演算は、予め設定されているかご照明シート９の使用可能量から、ガイドローラ１０の駆動量に基づき演算されたかご照明シート９の使用量を減算することにより求められる。そして、求めた残量を新たな残量として更新し、新たな残量はかご照明シート残量データ部２０に記憶される。
【００４８】
かご照明シート制御部１５は、かご照明シート残量データ部２０に記憶されているかご照明シート９の残量が判定部１９に予め設定されているかご照明シート９の残量の閾値に達しているか否かを判定する（Ｓ５）。判定部１９にて予め設定されているかご照明シート９の残量の閾値に達していないと判定された場合（Ｓ５のＮＯ）、かご照明シート制御部１５の処理を終了する（Ｓ７）。
【００４９】
一方、判定部１９にて予め設定されているかご照明シート９の残量の閾値に達していると判定された場合（Ｓ５のＹＥＳ）、かご照明シート制御部１５はエレベータ制御装置１６にかご照明シート９の残量が少なくなったことを通知するための信号を出力する（Ｓ６）。信号を入力されたエレベータ制御装置１６は、図示しない監視センターに残量が少なくなったことを発報したり、乗場に設けられる乗場インジケータにかご照明シート９の残量が少ない旨等の表示を行うように信号を出力する。
【００５０】
その後、ステップ７（Ｓ７）に移行し、処理を終了する。もちろん、監視センターからの通知を受け、保守員等がかご照明シート９の交換作業を行っている場合には、その旨をかご内インジケータ４や乗場インジケータなどの表示装置２２に表示するものとしてもよい。
【００５１】
以上より、本実施形態に係るエレベータのかご照明装置によれば、保守員が直接現場でかご照明シート９の保全作業を行う必要は無く、かご照明シート９の残量が予め設定された閾値まで減らない間は、自動でかご照明シート９の交換が行われるため、かご天井の美観を保ちつつ、保守員の手を煩わすことなく容易にかご照明シート９の交換を行うことができる。
【符号の説明】
【００５２】
１…かご
２…かごドア
３…かご内行先階登録部
４…かご内インジケータ
５…かご照明ケース
６…かご室天井面
７…かご照明機器
８…上蓋
９…かご照明シート
１０ａ、１０ｂ…ガイドローラ
１１…シート引き入れ部
１２…シート引き出し部
１３…かご照明シート巻き出し機構
１４…かご照明シート巻き取り機構
１５…かご照明シート制御部
１６…エレベータ制御装置
１７…運行データ管理部
１８…カレンダーデータ部
１９…判定部
２０…かご照明シート残量データ部
２１…ガイドローラ支持部
２２…表示装置
【図１】
2012206834.tif 000003
【図２】
2012206834.tif 000004
【図３】
2012206834.tif 000005
【図４】
2012206834.tif 000006
【図５】
2012206834.tif 000007
【図６】
2012206834.tif 000008